(57)【要約】【課題】ケースに形成された表示部用開口部を大きくすることなく、電線を挿入する初期状態から挿入完了までの間電線の挿入状態を把握し、電線の挿入量が多すぎたり、あるいは電線の挿入量が足りずに不完全挿入となってしまうことを防止することができる電気機器における電線接続構造を提供する。【解決手段】電線接続構造は、電線挿入方向（矢印Ｆで示す下方向）及びその反対方向（矢印Ｅで示す上方向）に移動自在に電線挿入空間２２内に配置された表示部材３２を備える。表示部材３２は、電線Ｗの芯線Ｗ１が当接する電線当接部３２ａと、電線当接部３２ａから反対方向（矢印Ｅで示す上方向）に延び、ケース２のケース蓋体２ｂに形成された表示部用開口部２４に挿通される表示部３２ｂとを有する。表示部３２ｂは、電線Ｗの不挿入時に表示部用開口部２４から突出し、電線の挿入完了時にケース蓋体２ｂの外面（上面）と面一になる。【選択図】図８
2018101563.tif 000002
【特許請求の範囲】
【請求項１】
端子金具を内部に収容するとともに、内部に電線挿入空間を形成し、外面と前記電線挿入空間とを連通するように形成された電線挿入口及び表示部用開口部を有するケースと、
前記端子金具に接続されるとともに前記電線挿入空間内に配置された、前記電線挿入口から前記電線挿入空間内に電線挿入方向に挿入される電線の芯線を弾性保持する電線保持用弾性部材と、
前記電線挿入方向及びその反対方向に移動自在に前記電線挿入空間内に配置され、前記電線の芯線が当接する電線当接部と、該電線当接部から前記反対方向に延び、前記表示部用開口部に挿通される表示部とを有し、該表示部が、前記電線の不挿入時に前記表示部用開口部から突出し、前記電線の挿入完了時に前記ケースの外面と面一になる表示部材と、
前記電線挿入空間内に設けられ、前記電線の挿入完了時に前記表示部材の前記電線当接部が当接して、前記表示部材の前記電線挿入方向への移動を規制するストッパーと、
前記電線挿入空間内に配置され、前記表示部材を前記電線挿入方向と反対方向に付勢する復帰用弾性部材とを備えていることを特徴とする電気機器における電線接続構造。
【請求項２】
前記ストッパーは、前記ケースから前記電線挿入空間内に突出する円筒型部材であり、前記復帰用弾性部材は、前記ストッパーを構成する円筒型部材内に収容され、前記円筒型部材に支持される圧縮コイルばねで構成されることを特徴とする請求項１に記載の電気機器における電線接続構造。
【請求項３】
前記表示部材は、前記電線当接部が前記圧縮コイルばね上に載置され、前記表示部が前記表示部開口部に支持されることを特徴とする請求項２に記載の電気機器における電線接続構造。
【請求項４】
前記電線保持用弾性部材は、前記端子金具に接続された接続部と、該接続部から前記電線挿入方向と反対方向側に凸となる湾曲部と、該湾曲部の先端から延びる弾性部材側電線保持部とを備えた板ばね部材であり、前記弾性部材側電線保持部の先端と前記端子金具に設けられた固定接触子側電線保持部との間で前記電線の芯線を弾性保持することを特徴とする請求項１乃至３のうちいずれか一項に記載の電気機器における電線接続構造。
【発明の詳細な説明】
【技術分野】
【０００１】
本発明は、電磁接触器や回路遮断器などの電気機器における電線接続構造に関する。
【背景技術】
【０００２】
電磁接触器や回路遮断器などの電気機器においては、電線が接続されるのが一般的ある。
この電気機器に電線を接続するに際し、ねじ締め作業を必要とせずに、電線を電気機器の電線差込口から機器本体内に挿入するだけで電線を端子に接続できるようにした電線接続構造として、例えば、特許文献１に示す回路遮断器の端子構造が知られている。
【０００３】
この特許文献１に示す回路遮断器の端子構造では、先端の被覆が除去された電線を回路遮断器の端子口に挿入し、その電線を押し込み操作することにより電線の先端が端子金具と速結ばねとの間に入り込み、速結ばねが一方向に変位する。そして、この挿入操作が、電線の先端が電線接続空間の奥部に達するまで行われると、変形した速結ばねの復元力で電線が端子金具側へ押圧され、電線と端子金具との電気的接続が達成される。
【０００４】
しかしながら、この特許文献１に示した回路遮断器の端子構造にあっては、電線の挿入量を表示する機能がないため、実際に電線の挿入量がどれくらいかを把握することができない。このため、電線の挿入量が多すぎたり、あるいは電線の挿入量が足りずに不完全挿入となってしまうことがある。
この問題を解決するため、例えば、特許文献２では、電線と端子との接続状態を表示するようにした速結端子の電線接続構造が提案されている。
【０００５】
特許文献２に示された電線接続構造においては、初期状態で表示部材が復帰用弾性部材の作用により、ケースに形成された開口部から表示部が目視できない位置に位置規制されている。そして、電線をケースに形成された電線挿入口より挿入すると、電線が速結端子ばね部材の第一当接部に当接し、更に電線の挿入を進行させると、電線は速結端子ばね部材を撓ませながら内部方向に入っていって第二当接部に当接し、更に電線は第二当接部を撓ませながら内部方向に入っていき表示部材の電線当接部に当接する。
【０００６】
そして、電線を更に挿入すると、表示部材が回動軸を中心として復帰用弾性部材の付勢力に抗して時計回りに回転し始め、更に電線を押し込むと表示部材が規制部に当接し、表示部は固定される。表示部材は、電線の先端が電線当接部に当接してからこの位置までは電線挿入量に比例して回転し、この位置では、表示部は開口部に対して全て露出する。
そして、表示部が開口部に対して全て露出した状態からさらに電線を押し込むと、表示部材の電線当接部は撓み始め、ケースの規制部に突き当たり接続が完了する。
このように、特許文献２に示された電線接続構造によれば、表示部材が電線挿入量に比例して回転し、表示部材に設けられた表示部がケースに形成された開口部に対して露出するので、電線と端子との接続状態を表示することができる。
【先行技術文献】
【特許文献】
【０００７】
【特許文献１】特許第５０５５０８２号公報
【特許文献２】特許第３９２５９０９号公報
【発明の概要】
【発明が解決しようとする課題】
【０００８】
しかしながら、特許文献２に記載された速結端子の電線接続構造にあっては、以下の問題点があった。
即ち、特許文献２に記載された電線接続構造の場合、電線と端子との接続が完了する前に、表示部の一部が開口部に対し露出するので、作業者がこの開口部に露出された当接部を視認して接続完了と勘違いしてしまうことがある。そうすると、電線の不完全挿入となってしまう。
【０００９】
また、特許文献２では、電線の挿入初期時には表示部が開口部に対し露出していないが、電線を挿入する初期状態から挿入完了までの間、表示部の動きをすべて開口部に対し露出するようにすると、表示部の動きから電線の挿入状態が把握できるので、電線の不完全挿入を回避することができる。しかし、表示部材が回転するように構成され、表示部の開口部に対する露出量が電線の挿入量に比例するようになっているため、電線を挿入する初期状態から挿入完了までの間、表示部の動きをすべて開口部に対し露出するようにすると、開口部の面積が大きくなりすぎ、開口部から異物が混入してしまうおそれがある。
【００１０】
従って、本発明はこの従来の問題点を解決するためになされたものであり、その目的は、ケースに形成された表示部用開口部を大きくすることなく、電線を挿入する初期状態から挿入完了までの間電線の挿入状態を把握し、電線の挿入量が多すぎたり、あるいは電線の挿入量が足りずに不完全挿入となってしまうことを防止することができる電気機器における電線接続構造を提供することにある。
【課題を解決するための手段】
【００１１】
上記目的を達成するために、本発明の一態様に係る電気機器における電線接続構造は、端子金具を内部に収容するとともに、内部に電線挿入空間を形成し、外面と前記電線挿入空間とを連通するように形成された電線挿入口及び表示部用開口部を有するケースと、前記端子金具に接続されるとともに前記電線挿入空間内に配置された、前記電線挿入口から前記電線挿入空間内に電線挿入方向に挿入される電線の芯線を弾性保持する電線保持用弾性部材と、前記電線挿入方向及びその反対方向に移動自在に前記電線挿入空間内に配置され、前記電線の芯線が当接する電線当接部と、該電線当接部から前記反対方向に延び、前記表示部開口部に挿通される表示部とを有し、該表示部が、前記電線の不挿入時に前記表示部開口部から突出し、前記電線の挿入完了時に前記ケースの外面と面一になる表示部材と、前記電線挿入空間内に設けられ、前記電線の挿入完了時に前記表示部材の前記電線当接部が当接して、前記表示部材の前記電線挿入方向への移動を規制するストッパーと、前記電線挿入空間内に配置され、前記表示部材を前記電線挿入方向に付勢する復帰用弾性部材とを備えていることを要旨とする。
【発明の効果】
【００１２】
本発明に係る気機器における電線接続構造によれば、ケースに形成された表示部用開口部を大きくすることなく、電線を挿入する初期状態から挿入完了までの間電線の挿入状態を把握し、電線の挿入量が多すぎたり、あるいは電線の挿入量が足りずに不完全挿入となってしまうことを防止することができる電気機器における電線接続構造を提供できる。
【図面の簡単な説明】
【００１３】
【図１】本発明の一実施形態に係る電線接続構造が適用される電磁接触器の斜視図である。
【図２】図１に示す電磁接触器に電線が接続された状態の斜視図である。
【図３】図１に示す電磁接触器からケース蓋体を外した状態の斜視図である。
【図４】図３に示すケース蓋体を外した電磁接触器の平面図である。
【図５】電線接続構造における端子金具としての左側の固定接触子、左側の電線保持用弾性部材、左側の表示部材、左側のストッパー及び左側の復帰用弾性部材としての圧縮コイルばねの関係を示す斜視図である。
【図６】電線接続構造における端子金具としての左側の固定接触子、左側の電線保持用弾性部材、左側の表示部材、左側のストッパー及び左側の復帰用弾性部材としての圧縮コイルばねの関係を示す斜視図である。
【図７】電線が接続される前の電線接続構造を説明するための図である。
【図８】電線が接続された後の電線接続構造を説明するための図である。
【発明を実施するための形態】
【００１４】
以下、本発明の実施形態について図面を参照して説明する。
本発明の一実施形態に係る電線接続構造が適用される電気機器としての電磁接触器が図１及び図２に示されている。
本発明の一実施形態に係る電線接続構造が適用される電気機器は、図１及び図２に示す電磁接触器のみならず、回路遮断器や安全ブレーカーなど電線を差し込んで接続できる電気機器であれば適用できる。
【００１５】
図１及び図２に示す電磁接触器１は、一方側の電源と他方側の負荷との間の電流路の開閉を行うものであり、図３及び図４に示す接点機構１０と、接点機構１０を駆動する図示しない電磁石ユニットと、接点機構１０及び電磁石ユニットを内部に収容するケース２とを備えている。
ここで、ケース２は、図１乃至図４に示すように、前後方向（図１乃至図４における矢印Ａで示す方向が前方向、矢印Ｂで示す方向が後方向）、左右方向（図１乃至図４における矢印Ｃで示す方向が左方向、矢印Ｄで示す方向が右方向）及び上下方向（図１乃至図３における矢印Ｅで示す方向が上方向、矢印Ｆで示す方向が下方向）に延びる略矩形状のケース本体２ａと、上側が開口するケース本体２ａを上方から覆うケース蓋体２ｂとを備えている。
【００１６】
ケース本体２ａには、図３及び図４に示すように、左右方向の中央部に接点機構１０を収容する接点機構収容凹部２１が形成され、接点機構収容凹部２１の下方には、図示しない電磁石ユニット収容部が形成されている。接点機構収容凹部２１には、接点機構１０が収容され、電磁石ユニット収容部には、電磁石ユニットが収容される。また、ケース本体２ａの接点機構収容凹部２１を挟んで左右両側には、複数対（本実施形態にあっては５対）の電線挿入空間２２が形成されている。隣接する電線挿入空間２２の間には隔壁２２ａが設けられている。各電線挿入空間２２は、後述する固定接触子１１が１つに対し１つ設けられる。
【００１７】
また、図１、図２、図７及び図８に示すように、ケース蓋体２ｂには、ケース蓋体２ｂの外面（上面）と電線挿入空間２２とを連通するように形成された複数の電線挿入口２３が設けられている。電線挿入口２３は、１つの電線挿入空間２２に対して２個設けられており、本実施形態にあっては、電線挿入空間２２が５対設けられていることから、１０対設けられている。また、ケース蓋体２ｂには、ケース蓋体２ｂの外面（上面）と電線挿入空間２２とを連通するように形成された複数の表示部用開口部２４が設けられている。表示部用開口部２４は、１つの電線挿入空間２２に対して１個設けられており、本実施形態にあっては、電線挿入空間２２が５対設けられている。核表示部用開口部２４の設置位置は、図１及び図２に示すように、電線挿入口２３に対して左右方向内側の位置である。また、各表示部用開口部２４の開口面積は、後述する表示部２２ｂが挿通できる面積であればよく、表示部２２ｂの断面積とほぼ同一になっている。
【００１８】
そして、接点機構１０は、図４に示すように、左右方向離れてケース本体２ａに固定された複数対（本実施形態にあっては５対）の固定接触子１１と、各対の固定接触子１１に接離可能な複数（本実施形態にあっては５個）の可動接触子１２とを備えている。複数の可動接触子１２は、前後方向に細長く延びる可動接触子支持部材１３に前後方向に沿って所定間隔で固定されている。可動接触子支持部材１３は、電磁石ユニットのコイルが励磁されると、図示しない駆動レバーを介して矢印Ｂで示す後方向に移動し、可動接触子支持部材１３に固定された複数の可動接触子１２の各々が各対の固定接触子１１に接触する。これにより、一方側である左側の固定接触子１１と他方側である右側の固定接触子１１とが可動接触子１２を介して導通し、電流路を閉じることになる。一方、電磁ユニットのコイルが非励磁状態になると、可動接触子支持部材１３は、図示しない復帰スプリングの作用により、矢印Ａで示す前方向に移動し、可動接触子支持部材１３に固定された複数の可動接触子１２の各々が各対の固定接触子１１から離れる。これにより、一方側である左側の固定接触子１１と他方側である右側の固定接触子１１とが遮断される。
【００１９】
ここで、本実施形態に係る電線接続構造は、図１、図２、図５乃至図８に示すように、電線Ｗを端子金具としての固定接触子１１に接続するものであり、前述のケース２と、対をなす左側及び右側の電線保持用弾性部材３１と、対をなす左側及び右側の表示部材３２と、対をなす左側及び右側のストッパー３３と、対をなす左側及び右側の復帰用弾性部材としての圧縮コイルばね３４とを備えている。
【００２０】
先ず、接続される電線Ｗは、図２及び図８に示すように、多数の金属線材からなる芯線Ｗ１と、芯線Ｗ１の外周を被覆する絶縁被覆Ｗ２とを備えている。電線Ｗを固定接触子１１に接続する際には、絶縁被覆Ｗ２の先端部分が除去され、芯線Ｗ１が所定部分だけ露出する。この際に、多数の金属線材からなる芯線Ｗ１がばらばらにならないように、露出した芯線Ｗ１の周囲には、図２及び図８に示すように、絶縁フェルールＷ３が取り付けられる。
【００２１】
また、固定接触子１１については、対をなす左側の固定接触子１１及び右側の固定接触子１１は線対称形状となっているため、左側の固定接触子１１の構成のみについて説明する。この左側の固定接触子１１は、図５乃至図８に示すように、可動接触子１２が接触する平板状の固定接点部１１ａと、固定接点部１１ａから後方に折り曲げられた平板状の基板部１１ｂと、基板部１１ｂの下端から左方（右側の固定接触子１１では右方）に延びる座板部１１ｃと、座板部１１ｃから上方に立ち上がる平板状の固定接触子側電線保持部１１ｄとを備えている。固定接触子１１は、金属板を打抜き及び曲げ加工することによって形成される。
【００２２】
そして、左側の固定接触子１１は、図４、図７及び図８に示すように、固定接点部１１ａが接点機構収容凹部２１内に位置し、基板部１１ｂ、座板部１１ｃ及び固定接触子側電線保持部１１ｄが左側の電線挿入空間２２内に位置するように、ケース本体２ａに固定される。また、右側の固定接触子１１は、固定接点部１１ａが接点機構収容凹部２１内に位置し、基板部１１ｂ、座板部１１ｃ及び固定接触子側電線保持部１１ｄが右側の電線挿入空間２２内に位置するように、ケース本体２ａに固定される。
【００２３】
また、対をなす左側及び右側の電線保持用弾性部材３１は線対称形状となっているため、左側の電線保持用弾性部材３１の構成のみについて説明する。左側の電線保持用弾性部材３１は、図５乃至図８に示すように、左側の固定接触子１１に接続されるとともに左側の電線挿入空間２２内に配置され、左側の電線挿入口２３から電線挿入空間２２内に電線挿入方向（矢印Ｆで示す下方向）に挿入される電線Ｗの芯線Ｗ１を弾性保持するものである。具体的に述べると、左側の電線保持用弾性部材３１は、左側の固定接触子１１の基板部１１ｂに溶接によって接続された平板状の接続部３１ａと、接続部３１ａから電線挿入方向と反対方向（矢印Ｅで示す上方向）側に凸となる湾曲部３１ｂと、湾曲部３１ｂの先端から左右方向外方に向けて斜め下方に延びる弾性部材側電線保持部３１ｃとを備えた板ばね部材である。そして、湾曲部３１ｂ及び弾性部材側電線保持部３１ｃの幅方向中央部には、湾曲部３１ｂから弾性部材側電線保持部３１ｃの先端にかけて延びるスリット３１ｄが形成され、このスリット３１ｄによって、湾曲部３１ｂが第１湾曲部３１ｂａと第２湾曲部３１ｂｂとに２分割され、弾性部材側電線保持部３１ｃが第１弾性部材側電線保持部３１ｃａと第２弾性部材側電線保持部３１ｃｂとに２分割されている。第１弾性部材側電線保持部３１ｃａは、左側の２つの電線挿入口２３のうち一方の電線挿入口２３に対応し、第２弾性部材側電線保持部３１ｃｂは、他方の電線挿入口２３に対応する位置に設けられる。
【００２４】
そして、弾性部材側電線保持部３１ｃの先端である第１弾性部材側電線保持部３１ｃａの先端と、固定接触子側電線保持部１１ｄとの間で、左側の一方の電線挿入口２３から電線挿入空間２２内に挿入される電線Ｗの芯線Ｗ１を弾性保持するようになっている。また、第２弾性部材側電線保持部３１ｃｂの先端と、固定接触子側電線保持部１１ｄとの間で、左側の他方の電線挿入口２３から電線挿入空間２２内に挿入される電線Ｗの芯線Ｗ１を弾性保持するようになっている。
【００２５】
右側の電線保持用弾性部材３１は、右側の固定接触子１１に接続されるとともに図４に示すように右側の電線挿入空間２２内に配置され、右側の電線挿入口２３から電線挿入空間２２内に電線挿入方向（矢印Ｆで示す下方向）に挿入される電線Ｗの芯線Ｗ１を弾性保持する。
また、対をなす左側及び右側の表示部材３２は、線対称形状となっているため、左側の表示部材３２の構成のみを説明する。左側の表示部材３２は、電線挿入方向（矢印Ｆで示す下方向）及びその反対方向（矢印Ｅで示す上方向）に移動自在に左側の電線挿入空間２２内に配置される。具体的に述べると、表示部材３２は、図５乃至図８に示すように、略Ｌ字形に形成され、電線挿入空間２２内に挿入される電線Ｗの芯線Ｗ１が当接する平板状の電線当接部３２ａと、電線当接部３２ａの左右方向内方の端部から反対方向（矢印Ｅで示す上方向）に延び、表示部用開口部２４に挿通される細長い板状の表示部３２ｂとを有している。そして、この表示部３２ｂは、電線Ｗの不挿入時には表示部用開口部２４から突出し、電線Ｗの挿入完了時にケース２を構成するケース蓋体２ｂの外面（上面）と面一になる。表示部材３２は、電線当接部３２ａが復帰用弾性部材としての後述する圧縮コイルばね３４上に載置され、表示部３２ｂが、電線保持用弾性部材３１の幅方向（矢印Ａ及びＢで示す前後方向）の中央部に形成された貫通孔３１ｅを通過してケース蓋体２ｂに形成された表示部用開口部２４に支持される。
【００２６】
右側の示部材３２は、電線挿入方向（矢印Ｆで示す下方向）及びその反対方向（矢印Ｅで示す上方向）に移動自在に右側の電線挿入空間２２内に配置される。
また、左側及び右側のストッパー３３は、図５乃至図８（図５乃至図８には左側のストパーのみ図示）に示すように、左側及び右側のそれぞれの電線挿入空間２２内に設けられ、電線Ｗの挿入完了時に表示部材３２の電線当接部３２ａが当接して、表示部材３２の電線挿入方向（矢印Ｆで示す下方向）への移動を規制するものであり、ケース本体２ａから電線挿入空間２２内に突出する円筒型部材である。ストッパー３３は、ケース本体２ａから上方向に延び、固定接触子１１の座板部１１ｃに形成された貫通孔１１ｅを通過して電線挿入空間２２内に突出する。
【００２７】
そして、左側及び右側の復帰用弾性部材としての圧縮コイルばね３４は、図５及び図６（図５及び図６には左側の圧縮コイルばねのみ図示）に示すように、ストッパー３３を構成する円筒型部材内に配置され、表示部材３２を電線当接部３２ａを介して、常時、電線挿入方向（矢印Ｆで示す下方向）と反対方向（矢印Ｅで示す上方向）に付勢するようになっている。
【００２８】
このように構成された電線接続構造において、電線Ｗを端子金具としての左側の固定接触子１１に接続する方法について、図１、図２、図７及び図８を参照して説明する。電線Ｗを右側の固定接触子１１に接続する方法は、左側の固定接触子１１に接続する方法と同様であるためその説明は省略する。
先ず、電線Ｗを固定接触子１１に接続する際に、図８に示すように、絶縁被覆Ｗ２の先端部分を除去し、芯線Ｗ１を電線Ｗの先端から所定長さだけ露出する。この際に、多数の金属線材からなる芯線Ｗ１がばらばらにならないように、露出した芯線Ｗ１の周囲には絶縁フェルールＷ３を取り付ける。
【００２９】
ここで、電線Ｗを左側の固定接触子１１に接続する前には、図１及び図７に示すように、表示部材３２の表示部３２ｂは、ケース蓋体２ｂの外面（上面）から所定量だけ突出している。
そして、電線Ｗの芯線Ｗ１を、左側の各電線挿入空間２２に対応する２つの電線挿入口２３のうち１つの電線挿入口２３（図２及び図８にあっては、他方側の電線挿入口２３）から電線挿入方向（矢印Ｆで示す下方向）に各電線挿入空間２２内に挿入する。すると、電線Ｗの芯線Ｗ１は、弾性部材側電線保持部３１ｃの先端である第１弾性部材側電線保持部３１ｃａあるいは第２弾性部材側電線保持部３１ｃｂの先端（図２及び図８にあっては、第２弾性部材側電線保持部３１ｃｂの先端）を電線挿入方向に変位させる。
【００３０】
この電線Ｗの挿入初期状態にあっては、左側の表示部材３２の表示部３２ｂは、未だ図１及び図７に示す場合と同様に、ケース蓋体２ｂの外面（上面）から所定量だけ突出している。
そして、電線Ｗの芯線Ｗ１の挿入を進行させると、電線Ｗの芯線Ｗ１は、弾性部材側電線保持部３１ｃの先端である第１弾性部材側電線保持部３１ｃａあるいは第２弾性部材側電線保持部３１ｃｂの先端（図２及び図８にあっては、第２弾性部材側電線保持部３１ｃｂの先端）と固定接触子側電線保持部１１ｄの内面との間に入り込んで弾性保持されるとともに、表示部材３２の電線当接部３３に当接する。
【００３１】
この電線Ｗの挿入中期状態にあっても、左側の表示部材３２の表示部３２ｂは、未だ図１及び図７に示す場合と同様に、ケース蓋体２ｂの外面（上面）から所定量だけ突出している。
そして、電線Ｗの芯線Ｗ１の挿入を更に進行させると、電線Ｗの芯線Ｗ１は圧縮コイルばね３４の付勢力に抗して表示部材３２の電線当接部３３を電線挿入方向（矢印Ｆで示す下方向）に押し込んで、表示部材３２が電線挿入方向へ移動し、表示部３２ｂのケース蓋体２ｂの外面からの突出量が電線挿入量（芯線Ｗ１が電線当接部３３に当接してからの電線Ｗの挿入量）に比例して減少する。
【００３２】
更に、電線Ｗの芯線Ｗ１の挿入を進行させて電線Ｗの挿入完了状態になると、図２及び図８に示すように、電線Ｗの芯線Ｗ１の移動によって電線当接部３３が電線ストッパー３３に当接し、表示部材３２の電線挿入方向への移動が規制される。この電線Ｗの挿入完了状態では、表示部材３２の表示部３２ｂは、ケース蓋体２ｂの外面と面一になる。
そして、この電線Ｗの挿入完了状態では、電線Ｗの芯線Ｗ１は、既に、弾性部材側電線保持部３１ｃの先端である第１弾性部材側電線保持部３１ｃａあるいは第２弾性部材側電線保持部３１ｃｂの先端（図２及び図８にあっては、第２弾性部材側電線保持部３１ｃｂの先端）と固定接触子側電線保持部１１ｄの内面との間に入り込んで弾性保持されているため、電線Ｗと固定接触子１１とが電気的に接続されている。ここで、電線Ｗは、圧縮コイルばね３４の付勢力によって電線当接部３３を介して電線挿入方向と反対方向（矢印Ｅで示す上方向）へ付勢される力を受ける。しかし、電線Ｗの芯線Ｗ１と、第１弾性部材側電線保持部３１ｃａあるいは第２弾性部材側電線保持部３１ｃｂの先端及び固定接触子側電線保持部１１ｄの内面との間の摩擦力が、圧縮コイルばね３４の付勢力よりも大きいため、電線Ｗが電線挿入方向と反対方向へ移動することはない。
【００３３】
このように本実施形態に係る電線接続構造にあっては、表示部材３２の表示部３２ｂは、電線Ｗの不挿入時にはケース蓋体２ｂに形成された表示部用開口部２４から突出し、電線Ｗの挿入完了時にケース蓋体２ｂの外面（上面）と面一になるので、電線Ｗを挿入する初期状態から挿入完了までの間、電線Ｗの挿入状態を把握できる。このため、電線Ｗの挿入量が多すぎたり、あるいは電線Ｗの挿入量が足りずに不完全挿入となってしまうことを防止することができる。
【００３４】
そして、表示部材３２の表示部３２ｂがケース蓋体２ｂの外面と面一になるまで電線Ｗの挿入が完了したと認識されないため、電線Ｗが不完全挿入の状態で電線Ｗの挿入が完了したと認識される蓋然性は低い。
また、表示部材３２の表示部３２ｂは、電線挿入方向に移動するようになっているため、電線Ｗを挿入する初期状態から挿入完了まで電線挿入量を把握するために、表示部３２ｂが挿通される表示部用開口部２４の大きさを大きくする必要はない。このため、表示部用開口部２４の面積を大きくする必要はなく、表示部用開口部２４の開口面積を大きくすることによって表示部用開口部２４から異物が混入してしまうおそれを回避することができる。
【００３５】
また、ストッパー３３は、ケース本体２ａから電線挿入空間２２内に突出する円筒型部材であり、復帰用弾性部材は、ストッパー３３を構成する円筒型部材内に配置され、円筒型部材に支持される圧縮コイルばね３４で構成される。このため、ストッパー３３及び復帰用弾性部材の構成を簡単な構成で実現できるととともに、ストッパー３３に表示部材３２の移動規制機能と復帰用弾性支持部材の収容機能とを持たせることができる。
【００３６】
また、表示部材３２は、電線当接部３２ａが圧縮コイルばね３４上に載置され、表示部３２ｂが表示部用開口部２４に支持されるので、表示部材３２を簡単な構造で電線挿入方向及びその反対方向に移動自在に電線挿入空間２２内に配置することができる。
更に、電線保持用弾性部材３１は、固定接触子１１に接続された接続部３１ａと、接続部３１ａから電線挿入方向と反対方向側に凸となる湾曲部３１ｂと、湾曲部３１ｂの先端から延びる弾性部材側電線保持部３１ｃとを備えた板ばね部材であり、弾性部材側電線保持部３１ｃの先端と固定接触子側電線保持部１１ｄとの間で電線Ｗの芯線Ｗ１を弾性保持する。このため、十分なばね性を有する板ばね部材の弾性力を利用して電線Ｗの芯線Ｗ１を弾性保持することができ、電線Ｗの芯線Ｗ１と固定接触子１１とを確実に電気的に接続することができる。
【００３７】
以上、本発明の実施形態について説明してきたが、本発明はこれに限定されずに種々の変更、改良を行うことができる。
例えば、電線接続構造が適用される電気機器は、図１及び図２に示す電磁接触器１のみならず、回路遮断器や安全ブレーカーなど電線を差し込んで接続できる電気機器であれば適用できる。
【００３８】
そして、電線Ｗが接続される端子金具は、電磁接触器１に設けられた固定接触子１１のみならず、別個の電気機器に設けられた金属製のコンタクトであってもよい。
また、復帰用弾性部材としては、表示部材３２を電線挿入方向と反対方向（矢印Ｅで示す上方向）に付勢するものであれば、圧縮コイルばね３４以外の弾性部材、例えば引張ばねであってもよい。
また、ストッパー３３は、電線Ｗの挿入完了時に表示部材３２の電線当接部３２ａが当接して、表示部材３２の電線挿入方向（矢印Ｆで示す下方向）への移動を規制するものであれば、ケース本体２ａから突出する円筒型部材以外であってもよい。
【符号の説明】
【００３９】
１  電磁接触器（電気機器）
２  ケース
２ａ  ケース本体
２ｂ  ケース蓋体
１０  接点機構
１１  固定接触子（端子金具）
１１ａ  固定接点部
１１ｂ  基板部
１１ｃ  座板部
１１ｄ  固定接触子側電線保持部
１１ｅ  貫通孔
１２  可動接触子
１３  可動接触子支持部材
２１  接点機構収容凹部
２２  電線挿入空間
２２ａ  隔壁
２３  電線挿入口
２４  表示部用開口部
３１  電線保持用弾性部材
３１ａ  接続部
３１ｂ  湾曲部
３１ｂａ  第１湾曲部
３１ｂｂ  第２湾曲部
３１ｃ  弾性部材側電線保持部
３１ｃａ  第１弾性部材側電線保持部
３１ｃｂ  第２弾性部材側電線保持部
３１ｄ  スリット
３１ｅ  貫通孔
３２  表示部材
３２ａ  電線当接部
３２ｂ  表示部
３３  ストッパー
３４  圧縮コイルばね（復帰用弾性部材）
Ｗ  電線
Ｗ１  芯線
Ｗ２  絶縁被覆
Ｗ３  絶縁フェルール
【図１】
2018101563.tif 000003
【図２】
2018101563.tif 000004
【図３】
2018101563.tif 000005
【図４】
2018101563.tif 000006
【図５】
2018101563.tif 000007
【図６】
2018101563.tif 000008
【図７】
2018101563.tif 000009
【図８】
2018101563.tif 000010